(57)【要約】【課題】  軒樋集水器からの雨水の漏れを防止して外観性の向上を図った軒樋集水器を提供する。【解決手段】  底壁（２）に排水口（４）を設け、該底壁（２）の屋内側縁部及び屋外側縁部から屋内側側壁及び屋外側側壁（６）をそれぞれ立設することにより、両側壁（５，６）の各端部に軒樋（８）を挿入接続するための軒樋接続部（７）をそれぞれ形成すると共に、側壁（６）の内面上部に両端まで延びる段部（２１）を設けてある。また、軒樋集水器（３１）は、前記側壁（６）の前記段部（２１）に雨水を前記排水口（４）に向けて流すための下方に傾斜する傾斜面（３２）を設けてある。【選択図】                  図１
2005248619.tif 000002
【特許請求の範囲】
【請求項１】
底壁に排水口を設け、該底壁の屋内側縁部及び屋外側縁部から屋内側側壁及び屋外側側
壁をそれぞれ立設することにより、前記両側壁の各端部に軒樋を挿入接続するための軒樋
接続部をそれぞれ形成すると共に、前記側壁の内面上部に両端まで延びる段部を設けてな
る軒樋集水器において、
前記側壁の前記段部に雨水を前記排水口に向けて流すための下方に傾斜する傾斜面を設
けたことを特徴とする軒樋集水器。
【請求項２】
前記底壁の両端部には中央部より上方に位置して前記両軒樋の端部をそれぞれ支持する
段差部を有し、前記傾斜面は前記両段差部間に対応する位置にあることを特徴とする請求
項１に記載の軒樋集水器。
【請求項３】
前記傾斜面は、前記側壁に沿って複数に分割した傾斜面からなることを特徴とする請求
項２に記載の軒樋集水器。
【発明の詳細な説明】
【技術分野】
【０００１】
本発明は、複数の軒樋から流入する雨水を集めて竪樋に排出するための軒樋集水器に関
するものである。
【背景技術】
【０００２】
従来の軒樋集水器としては、断面形状を略Ｕ字状に形成することにより、両端に開放す
る溝を形成すると共に、この溝の底壁中央に排水口を形成し、この溝の両端部内に二つの
軒樋の端部を嵌合接続するようにしたものがある。
【０００３】
しかし、この軒樋集水器では、二つの軒樋から溝に流入する雨水を溝の中央に集めて排
水口に接続された下向き竪樋から雨水を下方に排出していた。
【０００４】
この軒樋集水器に何れか一方の軒樋から多量の雨水が不均衡に流入してきた場合、雨水
が他方の軒樋に流れ込んで排水性が損なわれるので、排水口の周辺に複数の止水片を立設
して雨水を排水口に誘導することにより良好な排水性の維持を図るようにした軒樋集水器
も知られている（例えば、特許文献１参照）。
【０００５】
本発明者は、図６及び図８に示す軒樋用の軒樋集水器として、図５〜図８に示す構造の
ものを検討した。
【０００６】
この図５及び図６において、軒樋集水器１は射出成形法により一体成形された硬質ポリ
塩化ビニール製のものからなっている。この軒樋集水器１の底壁２の両端部には、後述す
る軒樋を支持するための上段の段差部３が形成されている。前記底壁２には、雨水を下方
へ排水するための排水口４が形成されている。
【０００７】
前記底壁２の屋内側及び屋外側の縁部からは屋内側側壁５と屋外側側壁６とがそれぞれ
立設されている。これにより、軒樋集水器１の左右両端部には側面視において略Ｕ字状の
軒樋嵌合部７がそれぞれ形成されている。
【０００８】
この両軒樋嵌合部７には、二つの軒樋８，８の端部がそれぞれ嵌合接続されている。な
お、この軒樋嵌合部７の内面形状は前記軒樋８の外面形状に付合する形状になっている。
【０００９】
また、前記底壁２には円形の接続部９を有する接続筒部１０が設けられていて前記排水
口４において軒樋集水器１に連通している。前記接続筒部１０の接続部９には竪樋１１の
上端が嵌合して接続されている。
【００１０】
前記軒樋８は、図８に示すように底板１２の屋内側及び屋外側の縁部から屋内側側壁１
３と屋外側側壁１４とをそれぞれ一体的に立設したものからなっている。また、上記両側
壁１３，１４の上部の長手方向両端部には耳部１５，１６がそれぞれ形成されている。
【００１１】
図８に示すように、軒樋集水器１における屋内側側壁５の上部両端には嵌合爪１７，１
７がそれぞれ形成されており、他方の屋外側側壁６の上部両端にも同様の嵌合爪１８，１
８がそれぞれ形成されている。
【００１２】
軒樋８は、軒樋８の耳部１５，１６を軒樋集水器１の嵌合爪１７，１８にそれぞれ嵌合
させることで軒樋集水器１に接続されている。両軒樋８から流れる雨水は、軒樋集水器１
で合流して排水口４から下方へ排水されるようになっている。
【００１３】
図６のＡ部に示す屋外側側壁１４耳部１６と屋外側側壁６の段部２１の詳細を図７に示
す。
【００１４】
屋外側側壁１４の耳部１６は、図７に示すように耳部１６の底部１９及び壁部２０が屋
外側に延出した状態に形成されている。この耳部１６が嵌合できるように屋外側側壁６の
上部には底部１９に沿う段部２１と壁部２０に沿う壁部２２とが連続して形成されている
。
【特許文献１】特開平１０−２４５９４７号公報
【発明の開示】
【発明が解決しようとする課題】
【００１５】
しかしながら、排水口の回りに複数の止水突起を設けた軒樋集水器においては、軒樋か
らの雨水は止水突起に当たって排水口に誘導されているため良好な排水性を維持している
が、これだけでは軒樋嵌合部７から軒樋集水器１内に溜まった雨水が外部に漏れる不具合
がある。
【００１６】
すなわち、図７に示すように屋外側側壁６の段部２１と耳部１６の底部１９との間には
若干の隙間Ｂがあり、図５に示す屋外側側壁６の段部２１上の雨水は底壁２上に流入する
が、その一部の雨水は矢印２３，２４方向に移動して前記Ｂ内に浸入して溜まる。
【００１７】
この耳部１６の隙間Ｂに溜まった雨水は、図８の矢印２５，２６に示すように隙間Ｂか
ら外側に漏れていく。この漏れた雨水は、軒樋集水器１の屋外側側壁６及び軒樋８の屋外
側側壁１４伝いに落下して行って軒樋集水器１及び軒樋８の汚れを生じたり、軒樋集水器
１部からの滴となって竪樋１１の回りに落下する等して軒樋集水器の外観を損なう問題が
あった。
【００１８】
本発明は、軒樋集水器からの雨水の漏れを防止して外観性の向上を図った軒樋集水器を
提供することを目的とするものである。
【課題を解決するための手段】
【００１９】
本発明は、上述事情に鑑みなされたものであって、請求項１に記載の発明は、底壁に排
水口を設け、該底壁の屋内側縁部及び屋外側縁部から屋内側側壁及び屋外側側壁をそれぞ
れ立設することにより、前記両側壁の各端部に軒樋を挿入接続するための軒樋接続部をそ
れぞれ形成すると共に、前記側壁の内面上部に両端まで延びる段部を設けてなる軒樋集水
器において、前記側壁の前記段部に雨水を前記排水口に向けて流すための下方に傾斜する
傾斜面を設けたことを特徴としている。
【００２０】
このように構成された請求項１の発明では、屋内側側壁や屋外側側壁等の側壁の段部に
雨水を排水口に向けて流すための下方に傾斜する傾斜面を設けたので、傾斜面上の雨水は
全て軒樋集水器内に流れて、側壁の段部からの雨水の漏れを防止することができる。
【００２１】
また、請求項２に記載の発明は、前記底壁の両端部には中央部より上方に位置して前記
両軒樋の端部をそれぞれ支持する段差部を有し、前記傾斜面は前記両段差部間に対応する
位置にあることを特徴としている。
【００２２】
このように構成された請求項２の発明では、側壁に設けられた傾斜面は両段差部間に対
応する位置にあるので、傾斜面上の雨水は確実に底壁に流入させることができて、側壁の
段部からの雨水の漏れを防止することができる。
【００２３】
また、請求項３に記載の発明は、前記傾斜面は前記側壁に沿って複数に分割した傾斜面
からなることを特徴としている。
【００２４】
このように構成された請求項３の発明では、側壁の段部に設けられ複数の傾斜面は、両
段差部間に対応する位置にあるので、傾斜面上の雨水は確実に底壁に流入させることがで
きて、側壁の段部からの雨水の漏れを防止することができる。
【発明の効果】
【００２５】
請求項１に記載の発明によれば、屋内側側壁や屋外側側壁等の側壁の段部に雨水を排水
口に向けて流すための下方に傾斜する傾斜面を設けたので、傾斜面上の雨水は全て軒樋集
水器内に流れて側壁の段部からの雨水の漏れを防止することができる。
【００２６】
また、請求項２に記載の発明によれば、側壁に設けられた傾斜面は両段差部間に対応す
る位置にあるので、傾斜面上の雨水は確実に底壁に流入させることができて、側壁の段部
からの雨水の漏れを防止することができる。
【００２７】
また、請求項３に記載の発明によれば、側壁の段差部に設けられた複数の傾斜面は両段
差部間に対応する位置にあるので、傾斜面上の雨水は確実に底壁に流入させることができ
て、側壁の段部からの雨水の漏れを防止することができる。
【発明を実施するための最良の形態】
【００２８】
以下、本発明の実施例を図面に基づいて説明する。なお、図５〜図８に示したものと同
じ機能のものは同一符号を付してその説明は省略する。
【００２９】
図１及び図２（ａ）において、軒樋集水器３１の底壁２の屋内側縁部２ａからは屋内側
側壁５が立設され、底壁２の屋外側縁部２ｂからは屋外側側壁６が立設されている。
【００３０】
軒樋集水器３１における屋外側側壁６の内面上部には、屋外側側壁６の両端まで延びる
段部２１が設けられている。この段部２１には、下方（底壁２側）に傾斜する傾斜面３２
が形成されている。
【００３１】
図２（ａ）のＣ部の詳細を図２（ｂ）に示す。前記傾斜面３２は、この傾斜面３２上の
雨水を底壁２の排水口４に向けて流すためのものである。すなわち、図２（ｂ）に示すよ
うに傾斜面３２に降る雨水は傾斜面３２に沿って矢印３４方向に流れていく。
【００３２】
これにより、図１に示す屋外側側壁６の両側の段部２１には傾斜面３２からの雨水が浸
入できない構成になっている。
【００３３】
すなわち、前記段部２１には図６及び図７と同様に軒樋８の耳部１６が嵌合しているが
、段部２１上すなわち図７の隙間Ｂには雨水の浸入が防止されているので、図８の矢印２
５，２６に示すような雨水の漏れは防止されている。
【００３４】
図３において、底壁２の両端には両軒樋８を支持するための段差部３が設けられており
、この段差部３は排水口４を有する面よりも高い位置にある。前述した屋外側側壁６の傾
斜面３２は、両段差部３間に対応する位置にある。すなわち、傾斜面３２は、両段差部３
の内側縁部３ａの間に対応する長さＬをもって設けられている。
【００３５】
傾斜面３２をこのように構成することで、傾斜面３２上の雨水は確実に底壁２に流入さ
せることができて、屋外側側壁６の段部２１からの雨水の漏れを防止することができる。
【００３６】
図４は傾斜面を変形例を示している。図３においては傾斜面３２は連続した一つのもの
からなっているが、図４においては上記傾斜面３２を分割して長さがＬ１の２つの傾斜面
３３を形成してある。なお、この場合傾斜面３３の外側の端部は段差部３の内側縁部３ａ
に対応して位置するように形成されている。
【００３７】
このように両傾斜面３３は繋がっていなくても、傾斜面３３は両段差部３間に対応する
位置にあるので、傾斜面３３上の雨水は確実に底壁２に流入させることができて、屋外側
側壁６の段部２１からの雨水の漏れを防止することができる。
【００３８】
なお、前記実施例においては、軒樋集水器３１の屋外側側壁６側を例にして雨水漏れの
防止の説明をしたが、屋内側側壁５側に段部２１と同じ段差が有る場合には、この段差に
本発明を適用することで、同様の雨水漏れの防止をできることは勿論である。
【００３９】
以上説明した発明の実施の形態の軒樋集水器（３１）は、底壁（２）に排水口（４）を
設け、該底壁（２）の屋内側縁部（２ａ）及び屋外側縁部（２ｂ）から屋内側側壁（５）
及び屋外側側壁（６）をそれぞれ立設することにより、前記両側壁（５，６）の各端部に
軒樋（８）を挿入接続するための軒樋接続部（７）をそれぞれ形成すると共に、前記側壁
（６）の内面上部に両端まで延びる段部（２１）を設けてある。また、軒樋集水器（３１
）は、前記側壁（６）の前記段部（２１）に雨水を前記排水口（４）に向けて流すための
下方に傾斜する傾斜面（３２）を設けてある。
【００４０】
この構成によれば、屋内側側壁（５）や屋外側側壁（６）等の側壁の段部（２１）に雨
水を排水口（４）に向けて流すための下方に傾斜する傾斜面（３２）を設けたので、傾斜
面（３２）上の雨水は全て軒樋集水器（３１）内に流れて側壁（６）の段部（２１）から
の雨水の漏れを防止することができる。
【００４１】
また、この発明の実施の形態の軒樋集水器（３１）は、前記底壁（２）の両端部中央部
より上方に位置して前記両軒樋（８）の端部をそれぞれ支持する段差部（３）を有し、前
記傾斜面（３２）は前記両段差部（３）間に対応する位置にある。
【００４２】
この構成によれば、側壁（６）に設けられた傾斜面（３２）は両段差部（３）間に対応
する位置にあるので、傾斜面（３２）上の雨水は確実に底壁（２）に流入させることがで
きて、側壁（６）の段部（２１）からの雨水の漏れを防止することができる。
【００４３】
また、この発明の実施の形態の軒樋集水器（３１）は、前記傾斜面（３２）は前記側壁
（６）に沿って複数に分割した傾斜面（３３）からなっている。
【００４４】
この構成によれば、側壁（６）の段部（２１）に設けられ複数の傾斜面（３３）は、両
段差部（３）間に対応する位置にあるので、傾斜面（３３）上の雨水は確実に底壁（２）
に流入させることができて、側壁（６）の段部（２１）からの雨水の漏れを防止すること
ができる。
【図面の簡単な説明】
【００４５】
【図１】本発明の実施の形態に係わる軒樋集水器の縦断正面図である。
【図２】（ａ）は図１におけるＺ−Ｚ線断矢視図、（ｂ）は（ａ）におけるＣ部の拡大図である。
【図３】傾斜面と底壁の段差部との関係を示す軒樋集水器の縦断正面図である。
【図４】傾斜面の変形例を示す軒樋集水器の縦断正面図である。
【図５】軒樋集水器と軒樋との縦断正面図である。
【図６】同じく、図５の軒樋集水器の側面図である。
【図７】同じく、図６におけるＡ部の拡大図である。
【図８】同じく、軒樋集水器及び軒樋の斜視図である。
【符号の説明】
【００４６】
２            底壁
２ａ          屋内側縁部
２ｂ          屋外側縁部
３            底壁の段差部
４            排水口
５            屋内側側壁
６            屋外側側壁
７            軒樋嵌合部
８            軒樋
２１          側壁の段部
３２，３３    段部に設けた傾斜面
【図１】
2005248619.tif 000003
【図２】
2005248619.tif 000004
【図３】
2005248619.tif 000005
【図４】
2005248619.tif 000006
【図５】
2005248619.tif 000007
【図６】
2005248619.tif 000008
【図７】
2005248619.tif 000009
【図８】
2005248619.tif 000010